(57)【要約】【課題】ケース本体を構成する蛇腹状の側面体が元の状態に復元するよう機能する収納ケースを提供することである。【解決手段】この発明の収納ケース１０は、前面板１４及び背面板１６の周縁近傍に設けられた蛇腹状の側面体２０を備える収納ケース１０において、側面体２０は、一の硬質板状体３０の一端縁と、該一の硬質板状体３０の一方面側において隣合う他の硬質板状体３０の一端縁とを連結する一の軟質連結体４０と、前記一の硬質板状体４０の他端と、前記一の硬質板状体３０の他面側に隣り合う他の硬質板状体３０の一端とを連結する他の軟質連結体４０とにより、隣り合う硬質板状体３０の一端及び他端が軟質連結体４０により向きを交互に変えるジグザグに連続して連結されて蛇腹状に構成されている。【選択図】図２
2006103206.tif 000002
【特許請求の範囲】
【請求項１】
前面板と、背面板と、前面板及び背面板の周縁近傍に設けられた蛇腹状の側面体とを備える収納ケースにおいて、
側面体は、
並設された正面視縦長長方形状薄板からなる硬質板状体と、斜めに向いて隣り合うように硬質板状体を連結する長尺状軟質連結体とからなり、
一の硬質板状体の一端縁と、該一の硬質板状体の一方面側において隣合う他の硬質板状体の一端縁とを連結する一の軟質連結体と、
前記一の硬質板状体の他端と、前記一の硬質板状体の他面側に隣り合う他の硬質板状体の一端とを連結する他の軟質連結体とにより、隣り合う硬質板状体の一端及び他端が軟質連結体により向きを交互に変えるジグザグに連続して連結されて蛇腹状に構成された、収納ケース。
【請求項２】
前面板と背面板の底部側において、硬質板状体が前面板と背面板の底部の端縁より外側に食み出さないようにするための食み出し規制板が、前面板と背面板とに連設された底面板の側面体側端縁より延設され、
食み出し規制板は、底面板の幅と同一かもしくは長い幅を備え、食み出し規制板の前面板及び背面板側に延設された取付片によって前面板と背面板の内面に固着されて、前面板と背面板との間に並設された硬質板状体の外側に固定された軟質連結体の外側面に対向するように、前面板と背面板との間に架け渡された、請求項１に記載の収納ケース。
【請求項３】
食み出し規制板は、前面板及び背面板の底部に連設された底面板の側面体側端縁に折曲部を介して連設され、
前記折曲部より立ち上げられた食み出し規制板が内側に向けてその中央側が湾曲するように、前記折曲部が、底面板の内側に向けて湾曲して形成された、請求項２に記載の収納ケース。
【発明の詳細な説明】
【技術分野】
【０００１】
この発明は、書類等を入れる収納ケースに関し、特に例えば、蛇腹状のマチ部を備える携帯用収納ケースに関するものである。
【背景技術】
【０００２】
従来のケースとして、表面部と、この表面部に底部を介して連結された略方形の裏面部と、これら表面部及び裏面部の左右両側間を連結する蛇腹状のマチ部等を備えるドキュメントファイルがある。
【０００３】
【特許文献１】特開平１１−１０５４８２号公報
【発明の開示】
【発明が解決しようとする課題】
【０００４】
この従来のドキュメントファイルは、蛇腹状のマチ部を有するが、該マチ部はドキュメントファイル内に用箋等を入れた時、マチ部の上部が外側へ膨出しやすい。そのために、ドキュメントファイル内に入れられた小さな物品等は外側に飛び出しやすく、ドキュメントファイル内に入れられた物品の保管の面で問題がある。
【０００５】
それゆえに、この発明の主たる目的は、ケース本体を構成する蛇腹状の側面体が元の状態に復元するよう機能する収納ケースを提供することである。
【課題を解決するための手段】
【０００６】
この発明の請求項１にかかる収納ケースは、前面板と、背面板と、前面板及び背面板の周縁近傍に設けられた蛇腹状の側面体とを備える収納ケースにおいて、側面体は、並設された正面視縦長長方形状薄板からなる硬質板状体と、斜めに向いて隣り合うように硬質板状体を連結する長尺状軟質連結体とからなり、一の硬質板状体の一端縁と、該一の硬質板状体の一方面側において隣合う他の硬質板状体の一端縁とを連結する一の軟質連結体と、前記一の硬質板状体の他端と、前記一の硬質板状体の他面側に隣り合う他の硬質板状体の一端とを連結する他の軟質連結体とにより、隣り合う硬質板状体の一端及び他端が軟質連結体により向きを交互に変えるジグザグに連続して連結されて蛇腹状に構成された、収納ケースである。
この発明の請求項２にかかる収納ケースは、前面板と背面板の底部側において、硬質板状体が前面板と背面板の底部の端縁より外側に食み出さないようにするための食み出し規制板が、前面板と背面板とに連設された底面板の側面体側端縁より延設され、食み出し規制板は、底面板の幅と同一かもしくは長い幅を備え、食み出し規制板の前面板及び背面板側に延設された取付片によって前面板と背面板の内面に固着されて、前面板と背面板との間に並設された硬質板状体の外側に固定された軟質連結体の外側面に対向するように、前面板と背面板との間に架け渡された、請求項１に記載の収納ケースである。
この発明の請求項３にかかる収納ケースは、食み出し規制板は、前面板及び背面板の底部に連設された底面板の側面体側端縁に折曲部を介して連設され、前記折曲部より立ち上げられた食み出し規制板が内側に向けてその中央側が湾曲するように、前記折曲部が、底面板の内側に向けて湾曲して形成された、請求項２に記載の収納ケースである。
【発明の効果】
【０００７】
この発明によれば、側面体を構成する隣り合う硬質板状体の一端及び他端が軟質連結体によりジグザグに連続して連結されて蛇腹状に構成されているので、軟質連結体の弾性により、硬質板状体の平常時の角度に復元しやすく、収納ケース内に入れられた物品の飛び出し等を防ぐことができ、物品等の保管に支障をきたすことがない。
請求項２の発明によれば、前面板と背面板の底部側において、硬質板状体を前面板と背面板の底部の端縁より外側に食み出さないようにするための食み出し規制板が、前面板と背面板との間に並設された硬質板状体の外側に固定された軟質連結体の外側面に対向するように、前面板と背面板との間に掛け渡されているので、前面板と背面板の間隔が一定の間隔に保たれると共に蛇腹状の側面体が前面板と背面板より外側に食み出すことがない。
請求項３の発明によれば、食み出し規制板が内側に向けてその中央側が湾曲するように底面板より上方に向けて立ち上げられているので、蛇腹状の側面体の外側面と食み出し規制板の内側面とが密着して、蛇腹状の側面体が前面板及び背面板の側縁より食み出すことがない。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態である収納ケースの正面側の斜視図解図であり、図２は、図１図示収納ケースの開蓋状態における正面側斜視図解図である。図３は、図１図示収納ケースの背面側の斜視図解図である。
この収納ケース１０は、ポリプロピレン製平板状弾性合成樹脂製板体１００をもって直方体状に形成されたケース本体１２を備え、ケース本体１２は、正面視長方形状の前面板１４と、該前面板１４と適宜な間隔をおいて対向するように形成された正面視長方形状の背面板１６と、該前面板１４と背面板１６の間において、その下端縁に架設された平面視略長方形状の底面板１８と、該底面板１８の上部において前記前面板１４と前記背面板１６との間に形成されたマチ部を構成する正面視長方形状の左右一対の側面体２０および側面体２２と、前記背面板１６の上端縁に連設された蓋板２４とから構成されている。
このケース本体１２は、１枚の平板状弾性合成樹脂製板体１００を、その外表面に凹設された罫線及び凹み線からなる折曲区画部１０２によって区画されてなる前面板１４、背面板１６、底面板１８および蓋板２４を折り曲げ、前面板１４と背面板１６と底面板１８によって囲繞された前面板１４及び背面板１６の内側の左右端縁近傍に側面板２０と側面板２２とを固着して、略立方体状に組み立てることによって形成される。
【００１０】
蓋板２４は、ケース本体１２の開口部１２ａを塞ぐために前面板１４及び背面板１６と同一の幅に形成されたもので、底面板１８と対向し、ケース本体１２の上部を塞ぐ平面視長方形状で底面板１８と略同一形状の天部２６と、該天部２６に続いて背面板１６と対向するように下方に垂れ下がる前垂部２８とを備える。天部２６と前垂部２８との間においては、ダブルヒンジ部２４ａが形成され、天部２６と背面板１６の上端縁との間にはダブルヒンジ部２４ｂが形成されている。
【００１１】
側面体２０及び側面体２２は、図８及び図９に示すように、連続して向きを交互に変える折れ線をなすようにジグザグに並設された硬質板状体３０と、該硬質板状体３０が屈曲する部位において硬質板状体３０の長手方向端部を連結する軟質連結体４０とからなる。
硬質板状体３０は、前面板１４及び背面板１６の高さに近い高さを有する正面視縦長長方形状薄板であり、軟質連結体４０は、断面半円形の硬質板状体３０と略同じ高さを有する長尺の柱状で、硬質板状体３０の長手方向端部が連結された弦部分は屈曲するように突き合わせられた隣接する２枚の硬質板状体３０の厚みと略同じかわずかに長い長さを有し、軟質連結体４０の弦部分の外側面とそれに連結された２枚の硬質板状体３０の外表面とは揃うように構成されている。
この実施の形態においては、硬質板状体３０は縦長長方形状のポリプロピレン製板からなり、軟質連結体４０はゴム弾性を有するスチレン系熱可塑性エラストマからなり、硬質板状体３０を構成するポリプロピレンと軟質連結体２６を構成するスチレン系熱可塑性エラストマとを押し出し成形することにより所定の形状に形成されている。
この実施の形態においては、硬質板状体３０は、その高さの２５分の１程度の幅を有し、前面板１４及び背面板１６の全体の幅の約３０分の１程度の幅に形成されている。
【００１２】
側面体２０及び側面体２２は、硬質板状体３０の長手一端と、それに隣り合う他の硬質板状体３０の長手一端とが軟質連結体４０に固着され、硬質板状体３０が斜めに向いて固着部分より先端に向かうに従って隣り合う硬質板状体３０どおしの幅が拡がるように構成され、並列された硬質板状体３０が連続して向きを交互に変えるジグザグに連続して連結された蛇腹状に構成されている。
すなわち、側面体２０及び側面体２２は、一の硬質板状体（第１の硬質板状体３２）の一端部（内側端部３２ａ）と、該一の硬質板状体（第１の硬質板状体３２）の一方面（外側面）側において隣り合う他の硬質板状体（第２の硬質板状体３４）の一端部（内側端部３４ａ）とを連結する一の軟質連結体（第１の内側軟質連結体４２）と、前記他の硬質板状体（第２の硬質板状体３４）の他端部（外側端部３４ｂ）と、前記他の硬質板状体（第２の硬質板状体３４）の他面（内側面）側に隣り合う他の硬質板状体（第３の硬質板状体３６）の一端部（外側端部３６ｂ）とを連結する他の軟質連結体（第１の外側軟質連結体４４）と、前記他の硬質板状体（第３の硬質板状体３６）の他端部（内側端部３６ａ）と、前記他の硬質板状体（第３の硬質板状体３６）の他面（外側面）側に隣り合う他の硬質板状体（第４の硬質板状体３８）の一端部（内側端部３８ａ）とを連結する他の軟質連結体（第２の内側軟質連結体４６）と、前記他の硬質板状体（第４の硬質板状体３８）の他端部（外側端部３８ｂ）とを連結する一の軟質連結体（第４の外側軟質連結体４８）により、側面体２０及び側面体２２の１構成単位（第１番目の側面体構成単位２０Ａ及び２２Ａ）が形成されている。
【００１３】
そして、前記第１番目の側面体構成単位２０Ａ及び２２Ａの一の軟質連結体（第４の外側軟質連結体４８）には、前記第１番目の側面体構成単位２０Ａ及び２２Ａに連続してさらに、前記第１番目の側面体構成単位２０Ａ及び２２Ａの他の硬質板状体（第４の硬質板状体３８）の内側面に隣り合う別の構成単位（第２番目の側面体構成単位２０Ｂ及び２２Ｂ）を構成する第１の硬質板状体３２の一端部（外側端部３２ｂ）が連結され、前記第１番目の側面体構成単位２０Ａ及び２２Ａと同様の構成の第２番目の側面体構成単位２０Ｂ及び２２Ｂが連結されて、蛇腹状の側面体２０及び側面体２２を構成している。
この実施の形態においては、前記第２番目の側面体構成単位２０Ｂ及び２２Ｂの第２の外側連結体４８には、前記第２番目の側面体構成単位２０Ｂ及び２２Ｂに連続してさらに、前記第２番目の側面体構成単位２０Ｂ及び２２Ｂの第４の硬質板状体３８の内側面に隣り合う第３番目の側面体構成単位２０Ｃ及び２２Ｃを構成する第１の硬質板状体３２の一端部（外側端部３２ｂ）が連結されているが、第３番目の側面体構成単位２０Ｃ及び２２Ｃは、第１の硬質板状体３２の内側端部３２ａに第１の内側軟質連結体４２が連結され、該第１の内側軟質連結体４２に第２の硬質板状体３４の内側端部３４ａが連結された構成で、第３の硬質板状体３６及び第４の硬質板状体３８と第２の内側軟質連結体４６及び第２の外側軟質連結体４８とは連結されていない構成である。
【００１４】
この側面体２０及び２２は、その両端縁に溶着された軟質連結体４０たる軟質固着片５０及び５２に溶着された前面硬質取付板５４及び背面硬質取付板５６を、前面板１４及び背面板１６の内側面に溶着することによって固着されている。
この実施の形態においては、軟質固着片５０及び５２は、前記軟質連結体４０などと同質の合成樹脂からなり、前面硬質取付板５４及び背面硬質取付板５６は、硬質板状体３０などと同質の合成樹脂板からなり、側面体２０及び２２を押し出し成形するときに、第１番目の側面体構成単位２０Ａ（２２Ａ）の第１の硬質板状体３２と前面硬質取付板５４と軟質固着片５０とを同時に押し出し成形し、また第３番目の側面体構成単位２０Ｃ（２２Ｃ）の第２の硬質板状体３４と背面硬質取付板５６と軟質固着片５２とを同時に押し出し成形して、形成されている。
【００１５】
前面硬質取付板５４は、軟質固着片５０によって、前記第１番目の側面体構成単位２０Ａ及び２２Ａの第１の硬質板状体３２の外側端部３２ｂに連結され、背面硬質取付板５６は、軟質固着片５２によって第３番目の側面体構成単位２０Ｃ及び２２Ｃの第２の硬質板状体３４の外側端部３４ｂと連結されている。
そして、第２の硬質板状体３４と第３の硬質板状体３６のなす角度の半分をもって、前面硬質取付板５４と第１の硬質板状体３２とが対向するように、また背面硬質取付板５６と第２の硬質板状体３４とが対向するように第１の硬質板状体３２の外側端部３２ｂ及び第２の硬質板状体３４の外側端部３４ｂより内側に向けて突き出し連結されている。
【００１６】
この側面体２０及び２２は、常時は、すなわち硬質板状体３０の表面側より加圧されない状態においては、軟質連結体４０の固有形状により約２６度の角度をもってV字型に広がるよう構成されている。
そして、側面体２０及び２２の表面側より加圧された後その圧力が取り去られたとき及び側面体２０及び側面体２２に収納ケース１０の収容部１２ｂ中の内部に保管された物品より外側に向けて力が加わったときは、軟質連結体４０のゴム弾性により元の状態に復元しようとする力が働き、蛇腹状の側面体２０及び２２が前面板１４及び背面板１６の左右端縁より外側に食み出すことがないよう作用する。
【００１７】
前面板１４と背面板１６の底部側において、前面板１４と背面板１６との間に並設された硬質板状体３０の外側に形成された軟質連結体４０の外側面に対向して、前記硬質板状体３０が前面板１４と背面板１６の底部の端縁より外側に食み出さない様にするための食み出し規制板６０が架け渡されている。
食み出し規制板６０は、前面板１４及び背面板１６の底部に連結された底面板１８の側面体２０及び２２側端縁に折曲部６２を介して連設され、該折曲部６２において折り曲げて上方に向けて立ち上げられている。
前記折曲部６２より立ち上げられた食み出し規制板６０は、内側に向けてその中央側が湾曲するように、前記折曲部６２が、底面板１８の内側に向けて膨む円弧状に形成されている。
【００１８】
食み出し規制板６０は、前面板１４と背面板１６と底面板１８とによって囲繞された形状、この実施の形態においては略コの字型の形状に対応して、前面板１４と背面板１６との間と同一かもしくはわずかに長い幅と側面体２０及び２２の下部近傍を覆う高さ（背面板１６の高さの１５分の１程度の高さ）を有する略長方形状に形成され、その左右端縁には、折り曲げ部６４ａ及び６４ｂを介して一対の取付け片６６及び６８が突設されている。
この実施の形態においては、食み出し規制板６０は、その幅が底面板１８より長く形成され、底面板１８の幅と略同一の長さの折曲部６２の側より左右に向けて拡がり、折曲部６４ａ及び６４ｂが、背面板１６の長手端縁と略平行に背面板１６側の端縁より背面板１６側の長手外側に延びるように構成されている。
【００１９】
取付け片６６及び６８は、折り曲げ部６４ａ及び６４ｂより斜め上方に延びる上端縁と、前面板１４の下端部及び背面板１６の下端部に沿うように延びる下端縁を有する略台形状である。
【００２０】
この実施の形態においては、内側に向けてその中央側が湾曲した食み出し規制板６０の左右端の折り曲げ部６４ａ及び６４ｂは、前面板１４及び背面板１６の左右端縁と揃うように直線状に構成されている。また、取付け片６６及び６８の下端部６６ａ及び６８ａは、前面板１４及び背面板１６の下端部と揃うように直線状に構成されている。
食み出し規制板６０は、折曲部６２において、上方に向けて立ち上げられ、食み出し規制板６０の外側面が前面板１４及び背面板１６の底部に揃う状態において取付け片６６の外側面を前面板１４の内側面にそして取付け片６８の外側面を背面板１６の内側面に溶着して固定される。
【００２１】
背面板１６の天側は、蓋板２４の天部２６から弾性合成樹脂製板体１００の厚さ（この実施の形態においては、約１ｍｍ）以上の下がった位置に間隙部１６ａが背面板１６の幅方向に左端縁から右端縁に亘って連続した直線状に形成され、間隙部１６ａの内側には、開蓋補助体７０が背面板１６の内側面よりケース本体１２の収容部１２ｂ側に向けて突き出し設けられている。
【００２２】
この実施の形態においては、開蓋補助体７０は、背面板１６を構成する弾性合成樹脂製板体１００の外面に幅方向にトムソン刃によって形成された罫線７２により区画されてなる開蓋補助体構成片が、該罫線７２に沿って内面側を谷として内側に折り曲げられ、且つ、開蓋補助体構成片がその外面側において、重ね合わされ連結されて、折り曲げられ重ね合わされたとき罫線７２の間に間隙部１６ａが形成されてなる。
【００２３】
この開蓋補助体７０は、蓋を閉じた時においては、ケース本体１２の収容部１２ｂ側に突出し、蓋を開く時においては、開蓋補助体７０の外部に近い部位、すなわち、背面板１６と連設される部位を枢軸として、回動するように形成されている。
従って、蓋板２４は、罫線７２によって折り曲げ可能であり、罫線３４の間には間隙部１６ａが形成されているので、背面板１６と連設される部位を枢軸として間隙部１６ａ側に向けて折り曲げて、蓋板２４を開閉することができる。
【００２４】
弾性合成樹脂製板体１００の外面に幅方向に形成された罫線７２は、蓋板２４の天部２６に近い位置に形成された第１の開蓋補助体構成片７４を形成するための直線状の第１の罫線７２ａと、第１の開蓋補助体構成片７４に連設され底面板１８の近い側に形成された第２の開蓋補助体構成片７６を形成するための直線状の第２の罫線７２ｂと、前記第１の罫線７２ａと第２の罫線７２ｂ間で第１の開蓋補助体構成片７４と第２の開蓋補助体構成片７６との間において、前記第１の罫線７２ａおよび第２の罫線７２ｂと平行に形成された、第１の開蓋補助体構成片７４と第２の開蓋補助体構成片７６とを重ね合わせるための直線状の折曲線７８とを含む。
第１の罫線７２ａと第２の罫線７２ｂと折曲線７８とは、等間隔に、トムソン刃によって背面板１６の左端縁から右端縁に亘って連続して適宜な幅（この実施の形態においては、約１ｍｍの幅でその深さが０．３ｍｍ）の断面略Ｕ字型の溝が形成されてなる。
【００２５】
第１の開蓋補助体構成片７４と第２の開蓋補助体構成片７６とは、折曲線７８を挟んだ線対称である略同一の長方形状であって、折曲線７８を挟んで連結され、折曲線７８において弾性合成樹脂製板体１００の外側面が重ね合わされるように折り曲げられて、第１の開蓋補助体構成片７４と第２開蓋補助片７６とが重ね合わされ、接着剤または溶着によって連結されて、開蓋補助体７０が形成される。
【００２６】
第１の罫線７２ａおよび第２の罫線７２ｂは、弾性合成樹脂製板体１００の外面において背面板１６の幅方向に形成され、この第１の罫線７２ａおよび第２の罫線７２ｂによって区画されてなる第１の開蓋補助体構成片７４と第２の開蓋補助体構成片７６とが重ね合わされるとき、第１の罫線７２ａと第２の罫線７２ｂとは、弾性合成樹脂製板体１００の内面側を谷として内側に９０度の角度まで折り曲げられ、第１の開蓋補助体構成片７４と第２の開蓋補助体構成片７６の外面側において、それらが重ね合わされ連結される。第１の罫線７２ａおよび第２の罫線７２ｂとは向き合い、それらの間に間隙部１６ａが形成され、第１の開蓋補助体構成片７４及び第２の開蓋補助体構成片７６の両側の背面板１６と蓋板２４は、外表面が平面状に揃っている。
【００２７】
背面板１６の最上部、すなわち第１の開蓋補助体構成片７４の天側には、それに続いて背面板１６と蓋板２４とを区画し、弾性合成樹脂製板体１００を内面側に向けて折り曲げるためのトムソン刃による凹み線８０及び該凹み線８０と平行にわずかな間隔をあけてトムソン刃により形成された凹み線８２が蓋板２４の幅方向において、その左端縁から右端縁に亘って連続して形成されている。
【００２８】
また、該凹み線８０及び８２とは適宜な間隔をあけて、前記凹み線８０及び８２と平行にトムソン刃による凹み線８４と該凹み線８４とは適宜な間隔をあけてトムソン刃により形成された凹み線８６及び８８とが形成される。凹み線８０と凹み線８２とは、例えば約５ミリメートル程の間隔を置いて形成され、また凹み線８４と凹み線８６と凹み線８８との間も約５ミリメートルの間隔をあけて形成され、前記凹み線８２と前記凹み線８４との間は、蓋板２４の天部２６を形成している。凹み線８０、凹み線８２、凹み線８４、凹み線８６及び凹み線８６は、罫線７２と同様に、弾性合成樹脂製板体１００の外表面側よりトムソン刃によって背面板１６及び蓋板２４の左端縁から右端縁に亘って連続して適宜な幅（この実施の形態においては、約１ｍｍの幅でその深さが０．３ｍｍ）の断面略Ｕ字型の溝が形成されてなる。
【００２９】
この一対の凹み線８０と凹み線８２とによって形成されるダブルヒンジ部２４ｂは、弾性合成樹脂製板体１００の内側面を谷側として折り曲げられたダブルヒンジ部を構成し、一対の凹み線８４と凹み線８６と凹み線８８とによって形成されるダブルヒンジ部２４ａは、弾性合成樹脂製板体１００が内側面を谷側として折り曲げられたダブルヒンジ部を構成する。
蓋板２４は、ダブルヒンジ部２４ａ及びダブルヒンジ部２４ｂにおいて、弾性合成樹脂製板体１００の弾性により、常時は内側に向けてわずかに折れ曲がった形状である。
【００３０】
底面板１８の前側には、トムソン刃による２条の凹み線９４及び９６を介して前面板１４が連接され、底面板１８の後側には、凹み線９０及び９２を介して背面板１６が連接される。底面板１８と前面板１４とが接する部位は、凹み線９４及び９６において弾性合成樹脂製板体１００を内側に折り曲げることにより面取りしたように構成され、底面板１８と背面板１６とが接する部位は、凹み線９０及び９２において弾性合成樹脂製板体１００を内側に折り曲げることにより面取りしたように構成されている。
食み出し規制板６０は、底面板１８より突き出された左右に拡がる右下端縁６０ａ及び左下端縁６０ｂが、凹み線９０及び９２と凹み線９４及び９６とにより形成される面取りしたような構造に対応して、折曲部６２から斜め上方に延びるように構成され、右下端縁６０ａは凹み線９４と９６との間及び左下端縁６０ｂは凹み線９０と９２との間に密着するように構成されている。
【００３１】
この実施の形態によれば、開蓋補助体７０を構成する重ね合わされた第１の開蓋補助体構成片７４と第２の開蓋補助体構成片７６のうち、主として第２の開蓋補助体構成片７６を形成する内側（下側）の第２の罫線７２ｂは、蓋板２４が回動するときの枢軸を構成する。
第１の開蓋補助体構成片７４と第２の開蓋補助体構成片７６とは、直線状の第１の罫線７２ａと第２の罫線７２ｂと折曲線７８とによって区画されて折曲線７８を挟んで線対称に形成され、折曲線７８において折り曲げられた第１の開蓋補助体構成片７４と第２の開蓋補助体構成片７６とが重ね合わされ、折り曲げられた第１の罫線７２ａと第２の罫線７２ｂとが向き合って、第１の罫線７２ａと第２の罫線７２ｂとの間に間隙部１６ａが形成されているので、間隙部１６ａ側に向けて、折り曲げることができ、蓋板２４を開閉することができる。
しかしながら、第１の罫線７２ａ及び第２の罫線７２ｂをもって第１の開蓋補助体構成片７４及び第２の開蓋補助体構成片７６を形成し、第２の罫線７２ｂ及び第１の罫線７２ａを比較的狭い溝幅として、弾性合成樹脂製板体１００を折り曲げて枢軸部分を形成しているので、蓋板２４の開閉動作を繰り返しても、第２の罫線７２ｂ及び第１の罫線７２ａにおける疲労が少なく、耐久性に優れたものとなる。
【００３２】
そして、第１の開蓋補助体構成片７４及び第２の開蓋補助体構成片７６とは重ねあわされ接着されているため、第１の罫線７２ａと第２の罫線７２ｂにおいて、ケース本体１２の収容部１２ｂ側に背面板１６とほぼ９０度の角度をもって折り曲げられ、蓋板２４、弾性合成樹脂製板体１００の弾性により、第２の罫線７２ｂの凹んだ部分の開口部分を閉じる方向に向けて付勢され、弾性合成樹脂製板体１００の元の状態である平板状に戻ろうとする力が作用する。
また、第１の開蓋補助体構成片７４と蓋板２４との間に形成された第１の罫線７２ａにおいて、第１の罫線７２ａの凹んだ部分の開口部分を閉じる方向に向けて、すなわち第１の開蓋補助体構成片７４と背面板１６とに弾性合成樹脂製板体１００の元の状態である平板状に戻ろうとする力が作用する。
【００３３】
さらに、背面板１６と蓋板２４の天部２６との境界において、弾性合成樹脂製板体１００の外表面に形成された凹み線８０及び凹み線８２からなるダブルヒンジ部２４ｂも凹み線８０及び凹み線８２を閉じる方向に向けて弾性合成樹脂製板体１００の元の状態である平板状に戻ろうとする力が作用する。
したがって、蓋板２４を開蓋するとき、弾性合成樹脂製板体１００の弾性により、開蓋補助体７０が形成された位置及び蓋板２４の重量との関係において、容易に蓋板２４を開けることができる。
【００３４】
この収納ケース１０は、主として携帯用に用いられるもので、蓋板２４の天部２６には提げ手１１０が付設されている。
また、蓋板２４を留めるための留め具１１２が蓋板２４の前垂部２８の下側縁近傍に付設され、該留め具１１２を係止するための留め具１１４が前面板１４の外表面の適宜な位置に付設されている。
【００３５】
開蓋補助体７０は、図４及び図１０に示すように、その左右端縁がケース本体１２の内側面、特に、側面体２０及び側面体２２の内側面に当接しないで、蓋板２４の開閉をより容易にするために、第１の開蓋補助体構成片７４及び第２の開蓋補助体構成片７６の左右端縁を切り欠き、折曲線７８に向けて傾斜して幅狭になるＶ字型に凹むように形成されている。第１の開蓋補助体構成片７４と第２の開蓋補助体構成片７６とは、折曲線７８を挟んで線対称に形成されている。
すなわち、開蓋補助体７０は、折曲線７８の方に向かうに従って幅狭になる台形状に形成されている。
【００３６】
この発明は、前記した構成に限らず、この発明の思想に基づき種々変更することが可能である。
例えば、折曲部６２、罫線７２及び折曲線７８からなる折曲区画部１０２は、弾性合成樹脂製板体１００の外表面側より凹み形成されているが、折曲部６２及び折曲線７８を他の構成としてもよい。
【図面の簡単な説明】
【００３７】
【図１】この発明の一実施の形態である収納ケースの正面側の斜視図解図である。
【図２】図１図示収納ケースの開蓋状態における正面側斜視図解図である。
【図３】図１図示収納ケースの背面側の斜視図解図である。
【図４】ケース本体を構成する合成樹脂製板体の平面図である。
【図５】図４図示合成樹脂製板体のＡ部拡大図である。
【図６】図１図示収納ケースの要部を示す斜視図解図である。
【図７】図１図示収納ケースの要部を示す平面図解図である。
【図８】側面体の横断面図解図である。
【図９】側面体の正面図解図である。
【図１０】側面体の側面図解図である。
【図１１】図１図示収納ケースの閉蓋状態における図１図示収納ケースの断面図解図である。
【符号の説明】
【００３８】
１０  収納ケース
１２  ケース本体
１２ａ  開口部
１２ｂ  収容部
１４  前面板
１６  背面板
１６ａ  間隙部
１８  底面板
２０，２２  側面体
２４  蓋板
２４ａ，２４ｂ  ダブルヒンジ部
２６  天部
２８  前垂部
３０  硬質板状体
３２  第１の硬質板状体
３４  第２の硬質板状体
３６  第３の硬質板状体
３８  第４の硬質板状体
４０  軟質連結体
４２  第１の内側軟質連結体
４４  第１の外側軟質連結体
４６  第２の内側軟質連結体
４８  第２の外側軟質連結体
５０,５２  軟質固着片
５４  前面硬質取付板
５６  背面硬質取付板
６０  食み出し規制板
６０ａ  右下端縁
６０ｂ  左下端縁
６２  折曲部
６４ａ，６４ｂ  折曲部
６６  取付片
６８  取付片
７０  開蓋補助体
７２  罫線
７２ａ  第１の罫線
７２ｂ  第２の罫線
７４  第１の開蓋補助体構成片
７６  第２の開蓋補助体構成片
７８  折曲線
８０，８２，８４，８６，８８，９０，９２，９４，９６  凹み線
１００  弾性合成樹脂製板体
１０２  折曲区画部
１１０  提げ手
１１２，１１４  留め具
【図１】
2006103206.tif 000003
【図２】
2006103206.tif 000004
【図３】
2006103206.tif 000005
【図４】
2006103206.tif 000006
【図５】
2006103206.tif 000007
【図６】
2006103206.tif 000008
【図７】
2006103206.tif 000009
【図８】
2006103206.tif 000010
【図９】
2006103206.tif 000011
【図１０】
2006103206.tif 000012
【図１１】
2006103206.tif 000013